(57)【要約】【課題】一方の基板側に行電極対と列電極とが形成される構成を有し、暗コントラストの向上を図ることが出来るプラズマディスプレイパネルを提供する。【解決手段】行電極対（Ｘ１，Ｙ１）を被覆する誘電体層２，３の互いに異なる平面内に、行電極対（Ｘ１，Ｙ１）との交差部分の近傍に放電セルを構成する列電極Ｄ１が設けられたＰＤＰにおいて、放電セルの周囲が隔壁８によって仕切られて区画され、この隔壁８によって区画された放電セルが、第２横壁８Ｂによって、維持放電が行われる表示放電セルＣ１と、リセット放電およびアドレス放電が行われるアドレス放電セルＣ２とに区画され、表示放電セルＣ１とアドレス放電セルＣ２が隙間ｒ１によって互いに連通されている。【選択図】    図２
2004342447.tif 000002
【特許請求の範囲】
【請求項１】
放電空間を介して互いに対向された一対の基板と、この一対の基板の一方の基板の背面側に行方向に延び列方向に並設されてそれぞれ表示ラインを構成する複数の行電極対と、この行電極対を被覆する誘電体層と、この誘電体層内に列方向に延び行方向に並設された複数の列電極が設けられて、行電極対と列電極の交差部分の近傍の放電空間にそれぞれ単位発光領域が構成されるプラズマディスプレイパネルにおいて、
前記列電極が、誘電体層内の行電極対が形成されている平面と異なる平面内に形成され、
前記各単位発光領域の周囲が隔壁によって仕切られることによりそれぞれ区画され、
この隔壁によって区画された各単位発光領域内が、さらに、仕切り壁によって、行電極対を構成する行電極の互いに対向する部分に対向してこの行電極間での放電が行われる第１放電領域と、一方の行電極の一部と対向する列電極の一部に対向してこの列電極の一部と行電極の一部との間での放電が行われる第２放電領域とに区画され、
この第１放電領域と第２放電領域との間に第２放電領域を第１放電領域に連通させる連通部が設けられている、
ことを特徴とするプラズマディスプレイパネル。
【請求項２】
前記行電極の一部との間で放電を行う列電極の一部が、列方向に延びる列電極本体部から単位発光領域毎に第２放電領域に対向する位置に向かって突出する列電極突出部である請求項１に記載のプラズマディスプレイパネル。
【請求項３】
前記列電極突出部が、列電極本体部から行方向に延びる帯形状を有している請求項２に記載のプラズマディスプレイパネル。
【請求項４】
前記隔壁が、列方向に延びて行方向に並ぶ単位発光領域の間を仕切る縦壁と、行方向に延びて列方向に並ぶ単位発光領域の間を仕切る横壁とを備えており、前記仕切り壁が、隣接する縦壁間において横壁と平行に掛け渡された状態で形成されている請求項１に記載のプラズマディスプレイパネル。
【請求項５】
前記行電極対を構成する各行電極が、行方向に延びる行電極本体部とこの行電極本体部から単位発光領域毎に対になっている他の行電極側に延びる行電極突出部とを備え、前記列電極の一部との間で放電を行う行電極の一部が行電極本体部である請求項４に記載のプラズマディスプレイパネル。
【請求項６】
前記行電極対のうち列電極の一部との間での放電を行わない他方の行電極の行電極本体部が、隔壁の横壁に対向する位置に配置されている請求項５に記載のプラズマディスプレイパネル。
【請求項７】
前記行電極対の列電極の一部との間で放電を行う一方の行電極の行電極本体部が、仕切り壁に対向する位置に配置されている請求項５に記載のプラズマディスプレイパネル。
【請求項８】
前記行電極対の列電極の一部との間で放電を行う一方の行電極の行電極本体部が、第２放電領域に対向する位置に配置されている請求項５に記載のプラズマディスプレイパネル。
【請求項９】
前記列電極の一部が、この列電極の一部との間で放電を行う一方の行電極の行電極突出部と交差している請求項８に記載のプラズマディスプレイパネル。
【請求項１０】
隣接する前記表示ライン間において背中合わせに位置する行電極が、行電極本体部を共用している請求項５に記載のプラズマディスプレイパネル。
【請求項１１】
隣接する前記表示ライン間において背中合わせに位置する行電極の行電極突出部が、列方向に連続して形成されている請求項１０に記載のプラズマディスプレイパネル。
【請求項１２】
前記隣接する表示ライン間において背中合わせに位置する行電極の共用の行電極本体部が、第２放電領域に対向する位置に配置されている請求項１０に記載のプラズマディスプレイパネル。
【請求項１３】
前記列電極の一部が、隣接する表示ライン間において列方向に連続して形成されている行電極の行電極突出部と交差している請求項１１に記載のプラズマディスプレイパネル。
【請求項１４】
前記行電極の行電極本体部が、黒色または暗色の光吸収層を構成している請求項５に記載のプラズマディスプレイパネル。
【請求項１５】
前記一方の基板側の第２放電領域に対向する部分に、黒色または暗色の光吸収層が形成されている請求項１に記載のプラズマディスプレイパネル。
【請求項１６】
前記光吸収層が、一方の基板側の第２放電領域に対向する部分の全面に形成されている請求項１５に記載のプラズマディスプレイパネル。
【請求項１７】
前記光吸収層が、誘電体層の背面に放電空間側に突出するように形成された誘電体層の嵩上げ部である請求項１５に記載のプラズマディスプレイパネル。
【請求項１８】
前記隔壁の横壁と縦壁の第２放電領域を囲む部分に対向する一方の基板の背面側の部分に、この隔壁の横壁と縦壁の第２放電領域を囲む部分に当接して、第２放電領域と他の単位発光領域の第１放電領域および第２放電領域との間を閉じる嵩上げ部が形成されている請求項４に記載のプラズマディスプレイパネル。
【請求項１９】
前記嵩上げ部が、誘電体によって形成されている請求項１８に記載のプラズマディスプレイパネル。
【請求項２０】
前記隔壁の縦壁の行方向において隣接する第１放電領域の間に位置する部分と一方の基板との間に、この行方向において隣接する第１放電領域を互いに連通する連通部が形成されている請求項４に記載のプラズマディスプレイパネル。
【請求項２１】
前記第１放電領域内にのみ放電によって発光する蛍光体層が形成されている請求項１に記載のプラズマディスプレイパネル。
【請求項２２】
前記第２放電領域内に、所定値以上の比誘電率を有する高γ材料によって形成された高γ材料層が形成されている請求項１に記載のプラズマディスプレイパネル。
【請求項２３】
前記比誘電率が５０以上である請求項２２に記載のプラズマディスプレイパネル。
【発明の詳細な説明】
【０００１】
【発明の属する技術分野】
この発明は、面放電方式交流型プラズマディスプレイパネルのパネル構造に関する。
【０００２】
【従来の技術】
近年、大型で薄型のカラー画面表示装置として面放電方式交流型プラズマディスプレイパネル（以下、ＰＤＰという）が注目を集めており、家庭への普及も拡大して来ている。
【０００３】
このような面放電方式交流型ＰＤＰとしては、三電極構造の反射型ＰＤＰが知られている。
【０００４】
この三電極反射型ＰＤＰは、前面ガラス基板と背面ガラス基板が、放電ガスが封入された放電空間を介して対向するように配置され、前面ガラス基板の内面側に、対になった行電極（放電維持電極）が行方向に延びるように互いに平行に配置されてそれぞれ表示ラインを形成する複数の行電極対と、この行電極対を被覆する誘電体層が設けられ、背面ガラス基板の内面側に列方向に延びる複数の列電極（アドレス電極）が設けられて、この列電極と行電極対がそれぞれ交差する位置の放電空間にそれぞれ放電セル（単位発光領域）が形成され、各放電セル毎に赤，緑，青に色分けされた蛍光体層が形成された構成を備えている。
【０００５】
そして、この三電極反射型ＰＤＰは、先ず、行電極対の一方の行電極と列電極との間に選択的にアドレス放電を発生させて、行電極対を被覆している誘電体層に壁電荷を形成したり、または、形成されている壁電荷を消去することによって、パネル面に、入力される映像信号に対応して、誘電体層に壁電荷が形成された放電セル（発光セル）と壁電荷が形成されていない放電セル（非発光セル）とを分布させ、この後、発光セルにおいて各行電極対の行電極間で維持放電を発生させて、この維持放電によって放電ガス中のキセノンガスから放射される真空紫外線により、発光セルのそれぞれ赤，緑，青に色分けされた蛍光体層を励起して発光させることによって、マトリクス表示による画像の形成を行う（例えば、特許文献１参照）。
【０００６】
このような三電極反射型ＰＤＰの従来の構成においては、前面ガラス基板と背面ガラス基板にそれぞれ電極を形成するための製造工程が複雑であるとともに、前面ガラス基板と背面ガラス基板の間において電極の位置関係に高い精度が要求されるために、製造コストが高くなり、さらに、各基板に形成される構成要素が多いことによる製造コストの上昇といった問題を有している。
【０００７】
このため、近年、コストダウンとともに表示画像の高精細化を図るために、行電極対と列電極の双方を一方のガラス基板に形成する構成のＰＤＰが提案されている。
【０００８】
この形式のＰＤＰは、蛍光体層が形成されるガラス基板と対向する側のガラス基板側に、行電極対とこの行電極対に対して直交する向きに延びる列電極が、誘電体層を挟んで二層構造になるように形成されているものである。
【０００９】
図１は、このような行電極対と列電極の双方を一方の基板側に形成した従来のＰＤＰの構造を示す正面図である。
【００１０】
この図１において、ＰＤＰは、図示しない一方の基板の内面側に、それぞれ対になった行電極ＸとＹによって構成される複数の行電極対（Ｘ，Ｙ）が行方向に延び列方向に並設されていて、この行電極対（Ｘ，Ｙ）が図示しない一層目の誘電体層によって被覆され、この一層目の誘電体層の背面側に、複数の列電極Ｄの本体部Ｄａが列方向に延び行方向に等間隔に並設されていて、この列電極Ｄの本体部Ｄａが図示しない二層目の誘電体層に被覆された構成になっている。
【００１１】
各列電極Ｄの放電部Ｄｂが、この放電部Ｄｂとの間でアドレス放電を行う行電極対（Ｘ，Ｙ）の行電極ＸまたはＹと同一平面内において対向するように、一層目の誘電体層内に形成された構成になっている。
【００１２】
そして、二枚の基板の間の放電空間に、対になった行電極ＸとＹおよび隣接する二本の列電極Ｄの本体部Ｄａに囲まれた領域に対向する部分毎に、放電セルＣが形成されている。
各行電極対（Ｘ，Ｙ）毎に表示ラインＬが構成される。
【００１３】
上記の面放電方式交流型ＰＤＰにおける画像の形成は、以下のようにして行われる。
【００１４】
すなわち、リセット期間に、各放電セルＣにおいて行電極対（Ｘ，Ｙ）の一方の行電極（この例では行電極Ｙ）と列電極Ｄの放電部Ｄｂとの間で一斉にリセット放電が行われ、さらに、次のアドレス期間に、放電セルＣにおいて、行電極Ｙと列電極Ｄの放電部Ｄｂとの間で選択的にアドレス放電が行われて、このアドレス放電により、発光セル（誘電体層に壁電荷が形成されている放電セルＣ）と非発光セル（誘電体層に壁電荷が形成されていない放電セルＣ）とが、表示する画像に対応してパネル面に分布される。
【００１５】
そして、このアドレス期間の後、全表示ラインＬにおいて一斉に、各行電極対の行電極ＸとＹに対して交互に放電維持パルスが印加され、この放電維持パルスが印加される毎に、発光セルにおいて、誘電体層に形成された壁電荷により、行電極ＸとＹ間で維持放電が発生される。
【００１６】
この維持放電により、各発光セル内の放電ガスから発生される紫外線によって、各放電セルＣ毎に形成されている赤（Ｒ），緑（Ｇ），青（Ｂ）の蛍光体層が励起されて発光することにより、表示する画像が形成される。
【００１７】
【特許文献１】
特開平１０−３２１１４５号公報
【００１８】
【発明が解決しようとする課題】
上記のような従来の面放電方式交流型ＰＤＰにおいては、以下のような問題点が発生する。
【００１９】
すなわち、リセット放電およびアドレス放電，維持放電が全て同じセル内において行われるので、リセット放電やアドレス放電時にも、その放電によって、赤（Ｒ），緑（Ｇ），青（Ｂ）の蛍光体層が励起されて蛍光体発光が繰り返されるので、画面の暗輝度が上昇し、これが暗室コントラストを悪化させる要因になっている。
【００２０】
さらに、同じセル内で、発光準備のためのリセット放電およびアドレス放電と、発光のための維持放電を発生させなければならないので、セル構造を構成する際に、これらの放電を両立させなければならないことによる制約が大きく、それぞれの放電の何れについても、十分な放電特性を得るようにすることが難しいという問題がある。
【００２１】
さらに、従来のＰＤＰは、維持放電が発生されるのと同じ放電セルＣ内において発生されるアドレス放電が、この放電セルＣ内に形成されている蛍光体層の各色の蛍光材料ごとに異なる放電特性や、製造工程において蛍光体層を形成する際に生じる層の厚さのばらつきといった蛍光体層に起因する放電電圧変化などの影響を受けるので、各放電セルＣにおいて等しいアドレス放電特性を得るようにすることが非常に難しいという問題を有している。
【００２２】
この発明は、上記のような従来の面放電方式交流型プラズマディスプレイパネルにおける問題点を解決することを、その解決課題の一つとしている。
【００２３】
【課題を解決するための手段】
上記目的を達成するために、この発明（請求項１に記載の発明）によるプラズマディスプレイパネルは、放電空間を介して互いに対向された一対の基板と、この一対の基板の一方の基板の背面側に行方向に延び列方向に並設されてそれぞれ表示ラインを構成する複数の行電極対と、この行電極対を被覆する誘電体層と、この誘電体層内に列方向に延び行方向に並設された複数の列電極が設けられて、行電極対と列電極の交差部分の近傍の放電空間にそれぞれ単位発光領域が構成されるプラズマディスプレイパネルにおいて、前記列電極が、誘電体層内の行電極対が形成されている平面と異なる平面内に形成され、前記各単位発光領域の周囲が隔壁によって仕切られることによりそれぞれ区画され、この隔壁によって区画された各単位発光領域内が、さらに、仕切り壁によって、行電極対を構成する行電極の互いに対向する部分に対向してこの行電極間での放電が行われる第１放電領域と、一方の行電極の一部と対向する列電極の一部に対向してこの列電極の一部と行電極の一部との間での放電が行われる第２放電領域とに区画され、この第１放電領域と第２放電領域との間に第２放電領域を第１放電領域に連通させる連通部が設けられていることを特徴としている。
【００２４】
【発明の実施の形態】
以下、この発明の最も好適と思われる実施の形態について、図面を参照しながら詳細に説明を行う。
【００２５】
図２ないし６は、この発明によるプラズマディスプレイパネル（以下、ＰＤＰという）の実施形態における第１の例を示すものであって、図２はこの第１の例におけるＰＤＰを模式的に示す正面図であり、図３は図２のＶ１−Ｖ１線における断面図，図４は図２のＶ２−Ｖ２線における断面図，図５は図２のＷ１−Ｗ１線における断面図，図６は図２のＷ２−Ｗ２線における断面図である。
【００２６】
この図２ないし６において、表示面である前面ガラス基板１の背面に、複数の行電極対（Ｘ１，Ｙ１）が、前面ガラス基板１の行方向（図２の左右方向）に延びるように平行に配列されている。
【００２７】
行電極Ｘ１は、前面ガラス基板１の行方向に延びる黒色または暗色の金属膜からなるバス電極Ｘ１ａと、Ｔ字形状に形成されたＩＴＯ等の透明導電膜からなる透明電極Ｘ１ｂとを備え、この透明電極Ｘ１ｂがバス電極Ｘ１ａに沿って等間隔に配列されて、それぞれの幅狭の基端部がバス電極Ｘ１ａに接続された構成になっている。
【００２８】
行電極Ｙ１も、同様に、前面ガラス基板１の行方向に延びる黒色または暗色の金属膜からなるバス電極Ｙ１ａと、Ｔ字形状に形成されたＩＴＯ等の透明導電膜からなる透明電極Ｙ１ｂとを備え、この透明電極Ｙ１ｂがバス電極Ｙ１ａに沿って等間隔に配列されて、それぞれの幅狭の基端部がバス電極Ｙ１ａに接続された構成になっている。
【００２９】
この行電極Ｘ１とＹ１は、前面ガラス基板１の列方向（図２の上下方向）に交互に配列されており、バス電極Ｘ１ａとＹ１ａに沿って並列されたそれぞれの透明電極Ｘ１ｂとＹ１ｂが互いに対となる相手の行電極側に延びて、透明電極Ｘ１ｂとＹ１ｂの幅広の頂辺が、それぞれ所要の間隔の放電ギャップｇを介して互いに対向されている。
【００３０】
この各行電極対（Ｘ１，Ｙ１）によって、パネルの一表示ラインＬ１が構成され、隣接する表示ラインＬ１間において互いに背中合わせに位置する行電極Ｘ１とＹ１の間には、後述するような所要の幅の間隔が設けられている。
【００３１】
そして、この前面ガラス基板１の背面に第１誘電体層２が形成されて、行電極対（Ｘ１，Ｙ１）が被覆されている。
【００３２】
この第１誘電体層２の背面側には、列電極Ｄ１を構成する帯状の列電極本体部Ｄ１ａが、行電極Ｘ１，Ｙ１のバス電極Ｘ１ａ，Ｙ１ａに沿って行方向に等間隔に並ぶ透明電極Ｘ１ｂ，Ｙ１ｂのそれぞれの中間位置に対向する位置においてバス電極Ｘ１ａ，Ｙ１ａと直交する方向（列方向）に延びるように、互いに所定の間隔を開けて平行に配列されている。
【００３３】
この第１誘電体層２の背面側には、さらに、列電極Ｄ１を構成する帯状の列電極突出部Ｄ１ｂが、その先端部が、それぞれ、隣接する表示ラインＬ１間において互いに背中合わせに位置する行電極Ｘ１とＹ１の間の間隔の中間位置に対向する位置に位置されるように、各列電極本体部Ｄ１ａの側部から行方向に延びるように一体的に形成されている。
【００３４】
そして、第１誘電体層２の背面に第２誘電体層３が形成されて、この列電極Ｄ１の列電極本体部Ｄ１ａと列電極突出部Ｄ１ｂが被覆されている。
【００３５】
この第２誘電体層３の背面側には、隣接する表示ラインＬ１間において互いに背中合わせに位置するバス電極Ｘ１ａとＹ１ａ、および、この背中合わせに位置するバス電極Ｘ１ａとＹ１ａの間の領域に対向する位置に、第２誘電体層３の背面から突出する第１嵩上げ誘電体層４が、バス電極Ｘ１ａ，Ｙ１ａに沿って行方向に延びるように帯状に形成されている。
【００３６】
この第１嵩上げ誘電体層４は、黒色または暗色の顔料を含んだ光吸収層になっている。
さらに、この第１嵩上げ誘電体層４の背面側のバス電極Ｘ１ａと対向する位置、および、隣接する表示ラインＬ１間において互いに背中合わせに位置するバス電極Ｘ１ａとＹ１ａの間の部分の列電極本体部Ｄ１ａと対向する位置に、第１嵩上げ誘電体層４の背面から突出する第２嵩上げ誘電体層５が、バス電極Ｙ１ａおよび列電極本体部Ｄ１ａとそれぞれ平行に延びるように形成されている。
【００３７】
そして、この第２誘電体層３と第１嵩上げ誘電体層４，第２嵩上げ誘電体層５の背面側には、ＭｇＯからなる図示しない保護層が形成されている。
【００３８】
一方、前面ガラス基板１と放電空間を介して対向する背面ガラス基板６の表示側の面上には、保護層（誘電体層）７が形成され、この保護層７上に、下記に詳述するような形状の隔壁８が形成されている。
【００３９】
すなわち、この隔壁８は、前面ガラス基板１側から見て、各行電極Ｘ１のバス電極Ｘ１ａと対向する位置においてこのバス電極Ｘ１ａと平行に行方向に延びる第１横壁８Ａと、各行電極Ｙ１のバス電極Ｙ１ａと対向する位置においてこのバス電極Ｙ１ａと平行に行方向に延びる第２横壁８Ｂと、列電極Ｄ１の列電極本体部Ｄ１ａと対向する位置においてこの列電極本体部Ｄ１ａと平行に列方向に延びる縦壁８Ｃとによって構成されている。
【００４０】
そして、第１横壁８Ａおよび第２横壁８Ｂ，縦壁８Ｃの高さが、第２嵩上げ誘電体層５の背面側を被覆している保護層と背面ガラス基板６上に形成された保護層７との間の間隔と等しくなるように設定されている。
【００４１】
これによって、第１横壁８Ａの表示側の面（図３において上側の面）と、隣接する表示ラインＬ１間に位置する部分の縦壁８Ｃの表示側の面が、それぞれ第２嵩上げ誘電体層５を被覆している保護層の背面側に当接されているが、第２横壁８Ｂと第１嵩上げ誘電体層４との間には第２嵩上げ誘電体層５が形成されていないために、この第２横壁８Ｂの表示側の面と第１嵩上げ誘電体層４を被覆している保護層との間に、隙間ｒ１がそれぞれ形成されている（図３参照）。
【００４２】
さらに、各行電極対（Ｘ１，Ｙ１）の行電極Ｘ１とＹ１との間に位置する部分の縦壁８Ｃと第１嵩上げ誘電体層４との間には第２嵩上げ誘電体層５が形成されていないために、この縦壁８Ｃの表示側の面と第１嵩上げ誘電体層４を被覆している保護層との間に、隙間ｒ２がそれぞれ形成されている（図４ないし６参照）。
【００４３】
この隔壁８の第１横壁８Ａと第２横壁８Ｂ，縦壁８Ｃによって、前面ガラス基板１と背面ガラス基板６の間の放電空間が、それぞれ互いに対向されて対になっている透明電極Ｘ１ｂとＹ１ｂに対向する領域ごとに区画されて表示放電セルＣ１が形成され、さらに、第１横壁８Ａと第２横壁８Ｂに挟まれて隣接する行電極対（Ｘ１，Ｙ１）の背中合わせに位置するバス電極Ｘ１ａとＹ１ａの間の領域に対向する部分の空間が、縦壁８Ｃによって区画されることによって、それぞれ表示放電セルＣ１と列方向において互い違いに配置されるアドレス放電セルＣ２が形成されている。
【００４４】
そして、列方向において第２横壁８Ｂを挟んで隣接するそれぞれの表示放電セルＣ１とアドレス放電セルＣ２とは、第２横壁８Ｂの表示側の面と第１嵩上げ誘電体層４を被覆する保護層との間に形成された隙間ｒ１を介して互いに連通されている。
【００４５】
各表示放電セルＣ１内の放電空間に面する隔壁８の第１横壁８Ａおよび第２横壁８Ｂ，縦壁８Ｃの各側面と保護層７の表面には、これらの五つの面を全て覆うように蛍光体層９が形成されており、この蛍光体層９の色は、各表示放電セルＣ１毎に赤（Ｒ），緑（Ｇ），青（Ｂ）の色が行方向に順に並ぶように配置されている。
【００４６】
各アドレス放電セルＣ２内の放電空間に面する隔壁８の第１横壁８Ａおよび第２横壁８Ｂ，縦壁８Ｃの各側面と保護層７の表面には、これらの五つの面を全て覆うように比誘電率εが５０以上（５０〜２５０）の高γ材料によって形成された高γ材料層１０が形成されている。
【００４７】
この高γ材料層１０を形成する高ε材料としては、例えば、ＳｒＴｉＯ３などがある。
【００４８】
放電空間の各表示放電セルＣ１およびアドレス放電セルＣ２内には、Ｘｅガスを含む放電ガスが封入されている。
【００４９】
このＰＤＰにおける画像の形成は、以下のようにして行われる。
【００５０】
先ず、リセット期間において、全アドレス放電セルＣ２内で、行電極Ｙ１と列電極Ｄ１にリセットパルスが印加されて、この行電極Ｙ１のバス電極Ｙ１ａと列電極Ｄ１の列電極突出部Ｄ１ｂとの間にリセット放電が発生されて、隙間ｒ１を介して表示放電セルＣ１に面している第１誘電体層２および第２誘電体層３に壁電荷が形成（または、壁電荷が消去）される。
【００５１】
次のアドレス期間において、行電極Ｙ１に走査パルスが順次印加され、列電極Ｄ１に映像信号に対応して選択的にデータパルスが印加される。
【００５２】
これによって、アドレス放電セルＣ２内において、走査パルスが印加された行電極Ｙ１のバス電極Ｙ１ａと、前面ガラス基板１側から見てこのバス電極Ｙ１ａと対向するデータパルスが印加された列電極Ｄ１の列電極突出部Ｄ１ｂとの間でアドレス放電が発生する。
【００５３】
このとき、アドレス放電セルＣ２内に高γ材料層１０が形成されていることによって、高γ材料層１０が形成されていない場合と比べて、小さい電圧でアドレス放電が開始される。
【００５４】
そして、このアドレス放電セルＣ２内におけるアドレス放電によって発生した荷電粒子が、第２横壁８Ｂと第１嵩上げ誘電体層４との間の隙間ｒ１を通って、この第２横壁８Ｂを挟んで隣接している対になった表示放電セルＣ１内に導入されて、この表示放電セルＣ１に対向している部分の第１誘電体層２および第２誘電体層３に形成された壁電荷が選択的に消去（または、第１誘電体層２および第２誘電体層３に壁電荷が選択的に形成）されてゆくことにより、全表示ラインＬ１に、発光セル（第１誘電体層２および第２誘電体層３に壁電荷が形成されている表示放電セルＣ１）と非発光セル（第１誘電体層２および第２誘電体層３に壁電荷が形成されていない表示放電セルＣ１）とが、表示する画像に対応してパネル面に分布される。
【００５５】
このアドレス期間の後、維持発光期間において、全表示ラインＬ１において一斉に、行電極対（Ｘ１，Ｙ１）の行電極Ｘ１とＹ１に対して交互に放電維持パルスが印加されて、この放電維持パルスが印加される毎に各発光セル内において互いに対向する透明電極Ｘ１ｂとＹ１ｂとの間で維持放電が発生される。
【００５６】
そして、この維持放電によって放電ガス中のＸｅガスから発生する紫外線により、表示放電セルＣ１に面している赤（Ｒ），緑（Ｇ），青（Ｂ）の各蛍光体層９がそれぞれ励起されて発光することにより、表示する画像が形成される。
【００５７】
上記例のＰＤＰは、前面ガラス基板１側に行電極対（Ｘ１，Ｙ１）と列電極Ｄ１がともに形成されているために、アドレス放電を発生させる行電極Ｙ１のバス電極Ｙ１ａと列電極突出部Ｄ１ｂ間の間隔が短縮されて、これにより、小さな放電開始電圧でアドレス放電が発生されるようになる。
【００５８】
さらに、上記ＰＤＰの製造工程において、前面ガラス基板１と背面ガラス基板６の位置合わせや隔壁の高さなどに高い精度が要求されなくなるので、その製造プロセスが簡略化される。
【００５９】
そして、上記ＰＤＰは、リセット放電およびアドレス放電が発生されるアドレス放電セルＣ２と維持放電が発生される表示放電セルＣ１とが、互いに分離されており、アドレス放電セルＣ２の表示側の面には、このアドレス放電セルＣ２を覆うように黒色または暗色の第１嵩上げ誘電体層４が形成されていることによって、このアドレス放電セルＣ２内におけるリセット放電およびアドレス放電による光が、第１嵩上げ誘電体層４によって遮られて、前面ガラス基板１側に漏れるのが防止される。
【００６０】
したがって、画像形成のための発光を行う放電ではないリセット放電およびアドレス放電が行われる都度にパネル表示面が光るのを防止することができ、これによって、リセット放電およびアドレス放電によって画像の暗コントラストが低下するのを防止することが出来る。
【００６１】
さらに、アドレス放電が発生されるアドレス放電セルＣ２に蛍光体層が形成されておらず、蛍光体層を形成する蛍光材料の色ごとに異なる放電特性や製造工程において蛍光体層を形成する際に生じる層の厚さのばらつきといった蛍光体層に起因する放電電圧変化などの影響を受けることがないので、各アドレス放電セルＣ２において均一なアドレス放電特性を得ることが出来るようになり、アドレス放電のマージンが向上する。
【００６２】
さらにまた、表示放電セルＣ１内では維持放電のみが行われるので、そのセル構造の構成に対する規制が少なくなり、これによって、表示放電セルＣ１を維持放電に最適な構造に構成することが出来るようになる。
【００６３】
図７ないし１１は、この発明によるＰＤＰの実施形態における第２の例を示すものであって、図７はこの第２の例におけるＰＤＰを模式的に示す正面図であり、図８は図７のＶ３−Ｖ３線における断面図，図９は図７のＶ４−Ｖ４線における断面図，図１０は図７のＷ３−Ｗ３線における断面図，図１１は図７のＷ４−Ｗ４線における断面図である。
【００６４】
この図７ないし１１において、表示面である前面ガラス基板１の背面に、複数の行電極対（Ｘ２，Ｙ２）が、前面ガラス基板１の行方向（図７の左右方向）に延びるように平行に配列されている。
【００６５】
行電極Ｘ２は、前面ガラス基板１の行方向に延びる黒色または暗色の金属膜からなるバス電極Ｘ２ａと、Ｔ字形状に形成されたＩＴＯ等の透明導電膜からなる透明電極Ｘ２ｂとを備え、この透明電極Ｘ２ｂがバス電極Ｘ２ａに沿って等間隔に配列されて、それぞれの幅狭の脚部Ｘ２ｂ１がバス電極Ｘ２ａに接続された構成になっている。
【００６６】
行電極Ｙ２も、同様に、前面ガラス基板１の行方向に延びる黒色または暗色の金属膜からなるバス電極Ｙ２ａと、Ｔ字形状に形成されたＩＴＯ等の透明導電膜からなる透明電極Ｙ２ｂとを備え、この透明電極Ｙ２ｂがバス電極Ｙ２ａに沿って等間隔に配列されて、それぞれの幅狭の脚部Ｙ２ｂ１がバス電極Ｙ１ａに接続された構成になっている。
【００６７】
この行電極Ｙ２の透明電極Ｙ２ｂの幅狭の脚部Ｙ２ｂ１は、行電極Ｘ２の透明電極Ｘ２ｂの幅狭の脚部Ｘ２ｂ１よりも長くなるように形成されている。
【００６８】
この行電極Ｘ２とＹ２は、前面ガラス基板１の列方向（図７の上下方向）に交互に配列されており、バス電極Ｘ２ａとＹ２ａに沿って並列されたそれぞれの透明電極Ｘ２ｂとＹ２ｂが互いに対となる相手の行電極側に延びて、透明電極Ｘ２ｂとＹ２ｂの幅広の頂辺が、それぞれ所要の間隔の放電ギャップｇを介して互いに対向されている。
【００６９】
そして、この前面ガラス基板１の背面に第１誘電体層１２が形成されて、行電極対（Ｘ２，Ｙ２）が被覆されている。
【００７０】
この第１誘電体層１２の背面側には、列電極Ｄ２を構成する帯状の列電極本体部Ｄ２ａが、行電極Ｘ２，Ｙ２のバス電極Ｘ２ａ，Ｙ２ａに沿って行方向に等間隔に並ぶ透明電極Ｘ２ｂ，Ｙ２ｂのそれぞれの中間位置に対向する位置においてバス電極Ｘ２ａ，Ｙ２ａと直交する方向（列方向）に延びるように、互いに所定の間隔を開けて平行に配列されている。
【００７１】
この第１誘電体層１２の背面側には、さらに、列電極Ｄ２を構成する帯状の列電極突出部Ｄ２ｂが、それぞれ、各列電極本体部Ｄ２ａの側部からバス電極Ｙ２ａの対になっている行電極Ｘ２側の側部に沿って行方向に延びるように一体的に形成されており、この列電極突出部Ｄ２ｂの先端部が、前面ガラス基板１側から見て、バス電極Ｙ２ａと透明電極Ｙ２ｂとの接続部に近接する位置において透明電極Ｙ２ｂの脚部Ｙ２ｂ１と交差するように位置されている。
【００７２】
そして、第１誘電体層１２の背面に第２誘電体層１３が形成されて、この列電極Ｄ２の列電極本体部Ｄ２ａと列電極突出部Ｄ２ｂが被覆されている。
【００７３】
この第２誘電体層１３の背面側には、隣接する表示ラインＬ１間において互いに背中合わせに位置するバス電極Ｘ２ａとＹ２ａ、および、このバス電極Ｙ２ａに沿って延びる列電極突出部Ｄ２ｂ，この列電極突出部Ｄ２ｂから交差している透明電極Ｙ２ｂの先端側に向かって所要の幅の部分に対向する位置に、第２誘電体層１３の背面から突出する第１嵩上げ誘電体層４が、バス電極Ｘ２ａ，Ｙ２ａに沿って行方向に延びるように帯状に形成されている。
【００７４】
この第１嵩上げ誘電体層４は、黒色または暗色の顔料を含んだ光吸収層になっている。
【００７５】
さらに、この第１嵩上げ誘電体層４の背面側には、バス電極Ｘ２ａと対向する帯状の部分、および、バス電極Ｘ２ａに対向する位置から隣接する表示ラインＬ１の背中合わせに位置するバス電極Ｙ２ａに対向する位置方向に向けて、それぞれ列電極本体部Ｄ２ａと対向する位置を第１嵩上げ誘電体層４の列方向において反対側の端部位置まで延びる帯状の部分に、この第１嵩上げ誘電体層４の背面から突出する第２嵩上げ誘電体層５がそれぞれ形成されている。
【００７６】
そして、この第２誘電体層１３と第１嵩上げ誘電体層４，第２嵩上げ誘電体層５の背面側には、ＭｇＯからなる図示しない保護層が形成されている。
【００７７】
一方、前面ガラス基板１と放電空間を介して対向する背面ガラス基板６の表示側の面上には、保護層（誘電体層）７が形成され、この保護層７上に、下記に詳述するような形状の隔壁８が形成されている。
【００７８】
すなわち、この隔壁８は、前面ガラス基板１側から見て、各行電極Ｘ２のバス電極Ｘ２ａと対向する位置においてこのバス電極Ｘ２ａと平行に行方向に延びる第１横壁８Ａと、各行電極Ｙ２の透明電極Ｙ２ｂの列電極突出部Ｄ２ｂと交差する位置よりも先端側で第１嵩上げ誘電体層４の端縁部に対向する位置において、行方向に延びる第２横壁８Ｂと、列電極Ｄ２の列電極本体部Ｄ２ａと対向する位置においてこの列電極本体部Ｄ２ａと平行に列方向に延びる縦壁８Ｃとによって形成されている。
【００７９】
そして、第１横壁８Ａおよび第２横壁８Ｂ，縦壁８Ｃの高さが、第２嵩上げ誘電体層５の背面側を被覆している保護層と背面ガラス基板６上に形成された保護層７との間の間隔と等しくなるように設定されている。
【００８０】
これによって、第１横壁８Ａの表示側の面（図８において上側の面）と、この第１横壁８Ａから隣接する表示ラインＬ１のバス電極Ｙ２ａ側に位置する第２横壁８Ｂまでの間の部分の縦壁８Ｃの表示側の面が、それぞれ第２嵩上げ誘電体層５を被覆している保護層の背面側に当接されている（図８および９参照）が、第２横壁８Ｂと第１嵩上げ誘電体層４との間には第２嵩上げ誘電体層５が形成されていないために、この第２横壁８Ｂの表示側の面と第１嵩上げ誘電体層４を被覆している保護層との間に、隙間ｒ１がそれぞれ形成されている（図８参照）。
【００８１】
さらに、第２横壁８Ｂと、前面ガラス基板１側から見て、この第２横壁８Ｂと交差する透明電極Ｙ２ｂと対になっている透明電極Ｘ２ｂ側に位置する第１横壁８Ａとの間の部分の縦壁８Ｃと、第１嵩上げ誘電体層４との間には、第２嵩上げ誘電体層５が形成されていないために、この縦壁８Ｃの表示側の面と第１嵩上げ誘電体層４を被覆している保護層との間に、隙間ｒ２がそれぞれ形成されている（図９ないし１１参照）。
【００８２】
この隔壁８の第１横壁８Ａと第２横壁８Ｂ，縦壁８Ｃによって、前面ガラス基板１と背面ガラス基板６の間の放電空間が、それぞれ互いに対向されて対になっている透明電極Ｘ２ｂとＹ２ｂに対向する領域ごとに区画されて表示放電セルＣ１が形成され、さらに、第１横壁８Ａと第２横壁８Ｂに挟まれて行電極Ｙ２のバス電極Ｙ２ａと列電極Ｄ２の列電極突出部Ｄ２ｂに対向する部分の空間が、縦壁８Ｃによって区画されることによって、それぞれ表示放電セルＣ１と列方向において互い違いに配置されるアドレス放電セルＣ２が形成されている。
【００８３】
そして、列方向において第２横壁８Ｂを挟んで隣接するそれぞれの表示放電セルＣ１とアドレス放電セルＣ２とは、第２横壁８Ｂの表示側の面と第１嵩上げ誘電体層４を被覆する保護層との間に形成された隙間ｒ１を介して互いに連通されている。
【００８４】
各表示放電セルＣ１内の放電空間に面する隔壁８の第１横壁８Ａおよび第２横壁８Ｂ，縦壁８Ｃの各側面と保護層７の表面には、これらの五つの面を全て覆うように蛍光体層９が形成されており、この蛍光体層９の色は、各表示放電セルＣ１毎に赤（Ｒ），緑（Ｇ），青（Ｂ）の色が行方向に順に並ぶように配置されている。
【００８５】
各アドレス放電セルＣ２内の放電空間に面する隔壁８の第１横壁８Ａおよび第２横壁８Ｂ，縦壁８Ｃの各側面と保護層７の表面には、これらの五つの面を全て覆うように比誘電率εが５０以上（５０〜２５０）の高γ材料によって形成された高γ材料層１０が形成されている。
【００８６】
この高γ材料層１０を形成する高ε材料としては、例えば、ＳｒＴｉＯ３などがある。
【００８７】
放電空間の各表示放電セルＣ１およびアドレス放電セルＣ２内には、Ｘｅガスを含む放電ガスが封入されている。
【００８８】
このＰＤＰにおける画像の形成は、以下のようにして行われる。
【００８９】
先ず、リセット期間において、全アドレス放電セルＣ２内で、行電極Ｙ２と列電極Ｄ２にリセットパルスが印加されて、この行電極Ｙ２のバス電極Ｙ２ａおよび透明電極Ｙ２ｂと列電極Ｄ１の列電極本体部Ｄ１ａとの間にリセット放電が発生されて、隙間ｒ１を介して、表示放電セルＣ１に面している部分の第１誘電体層１２および第２誘電体層１３に壁電荷が形成（または、全ての壁電荷が消去）される。
【００９０】
次のアドレス期間において、行電極Ｙ２に走査パルスが順次印加され、列電極Ｄ２に映像信号に対応して選択的にデータパルスが印加される。
【００９１】
これによって、アドレス放電セルＣ２内において、走査パルスが印加された行電極Ｙ２のバス電極Ｙ２ａおよび透明電極Ｙ２ｂと、前面ガラス基板１側から見てこの透明電極Ｙ２ｂと交差するデータパルスが印加された列電極Ｄ２の列電極突出部Ｄ２ｂとの間でアドレス放電が発生する。
【００９２】
このとき、アドレス放電セルＣ２内に高γ材料層１０が形成されていることによって、高γ材料層１０が形成されていない場合と比べて、小さい電圧でアドレス放電が開始される。
【００９３】
そして、このアドレス放電セルＣ２内におけるアドレス放電によって発生した荷電粒子が、第２横壁８Ｂと第１嵩上げ誘電体層４との間の隙間ｒ１を通って、この第２横壁８Ｂを挟んで隣接している対になった表示放電セルＣ１内に導入されて、この表示放電セルＣ１に対向している部分の第１誘電体層１２および第２誘電体層１３に形成された壁電荷が選択的に消去（または、第１誘電体層２および第２誘電体層３に壁電荷が選択的に形成）されてゆくことにより、全表示ラインＬ１に発光セル（第１誘電体層１２および第２誘電体層１３に壁電荷が形成されている表示放電セルＣ１）と非発光セル（第１誘電体層１２および第２誘電体層１３に壁電荷が形成されていない表示放電セルＣ１）とが、表示する画像に対応してパネル面に分布される。
【００９４】
このアドレス期間の後、維持発光期間において、全表示ラインＬ１において一斉に、行電極対（Ｘ２，Ｙ２）の行電極Ｘ２とＹ２に対して交互に放電維持パルスが印加されて、この放電維持パルスが印加される毎に各発光セル内において互いに対向する透明電極Ｘ２ｂとＹ２ｂとの間で維持放電が発生される。
【００９５】
そして、この維持放電によって放電ガス中のＸｅガスから発生する紫外線により、表示放電セルＣ１に面している赤（Ｒ），緑（Ｇ），青（Ｂ）の各蛍光体層９がそれぞれ励起されて発光することにより、表示する画像が形成される。
【００９６】
上記例のＰＤＰは、第１の例の場合と同様に、前面ガラス基板１側に行電極対（Ｘ２，Ｙ２）と列電極Ｄ２がともに形成されているために、アドレス放電を発生させる行電極Ｙ２のバス電極Ｙ２ａおよび透明電極Ｙ２ｂと列電極突出部Ｄ２ｂ間の間隔が短縮されて、これにより、低い放電開始電圧でアドレス放電が発生されるようになる。
【００９７】
そして、この例におけるＰＤＰは、第１の例と比べて、列電極突出部Ｄ２ｂが行電極Ｙ２の透明電極Ｙ２ｂと交差する位置に形成されているために、さらに低い放電開始電圧でアドレス放電が発生される。
【００９８】
さらに、上記ＰＤＰの製造工程において、前面ガラス基板１と背面ガラス基板６の位置合わせや隔壁の高さなどに高い精度が要求されなくなるので、その製造プロセスが簡略化される。
【００９９】
さらに、上記ＰＤＰは、リセット放電およびアドレス放電が発生されるアドレス放電セルＣ２と維持放電が発生される表示放電セルＣ１とが、互いに分離されており、アドレス放電セルＣ２の表示側の面には、このアドレス放電セルＣ２を覆うように黒色または暗色の第１嵩上げ誘電体層４が形成されていることによって、このアドレス放電セルＣ２内におけるリセット放電およびアドレス放電による光が、第１嵩上げ誘電体層４によって遮られて、前面ガラス基板１側に漏れるのが防止される。
【０１００】
したがって、画像形成のための発光を行う放電ではないリセット放電およびアドレス放電が行われる都度にパネル表示面が光るのを防止することができ、これによって、リセット放電およびアドレス放電によって画像の暗コントラストが低下するのを防止することが出来る。
【０１０１】
さらに、アドレス放電が発生されるアドレス放電セルＣ２に蛍光体層が形成されておらず、蛍光体層を形成する蛍光材料の色ごとに異なる放電特性や製造工程において蛍光体層を形成する際に生じる層の厚さのばらつきといった蛍光体層に起因する放電電圧変化などの影響を受けることがないので、各アドレス放電セルＣ２において等しいアドレス放電特性を得ることが出来るようになり、アドレス放電のマージンが向上する。
【０１０２】
さらにまた、表示放電セルＣ１内では維持放電のみが行われるので、そのセル構造の構成に対する規制が少なくなり、これによって、表示放電セルＣ１を維持放電に最適な構造に構成することが出来るようになる。
【０１０３】
図１２ないし１６は、この発明によるＰＤＰの実施形態における第３の例を示すものであって、図１２はこの第３の例におけるＰＤＰを模式的に示す正面図であり、図１３は図１２のＶ５−Ｖ５線における断面図，図１４は図１２のＶ６−Ｖ６線における断面図，図１５は図１２のＷ５−Ｗ５線における断面図，図１６は図１２のＷ６−Ｗ６線における断面図である。
【０１０４】
この図１２ないし１６において、表示面である前面ガラス基板１の背面に、行電極Ｘ３と行電極Ｙ３とが、それぞれ前面ガラス基板１の行方向（図１２の左右方向）に延びるように、かつ、列方向に交互に所要の間隔を開けて並設されている。
【０１０５】
行電極Ｘ３は、前面ガラス基板１の行方向に延びる黒色または暗色の金属膜からなるバス電極Ｘ３ａと、このバス電極Ｘ３ａの等間隔位置において、バス電極Ｘ３ａから列方向の両側に延びてバス電極Ｘ３ａと直交するように接続されたＩＴＯ等の透明導電膜からなる透明電極Ｘ３ｂとを備えている。
【０１０６】
各透明電極Ｘ３ｂは、バス電極Ｘ３ａから図１２において上方向に延びるＴ字形状の第１透明電極部Ｘ３ｂ１と、下方向に延びるＴ字形状の第２透明電極部Ｘ３ｂ２とによって構成されている。
【０１０７】
そして、この透明電極Ｘ３ｂは、第１透明電極部Ｘ３ｂ１の幅狭の脚部の長さが、第２透明電極部Ｘ３ｂ２の幅狭の脚部の長さよりも長くなるように形成されている。
【０１０８】
行電極Ｙ２も、同様に、前面ガラス基板１の行方向に延びる黒色または暗色の金属膜からなるバス電極Ｙ３ａと、このバス電極Ｙ３ａの等間隔位置において、バス電極Ｙ３ａの両側から列方向に延びてバス電極Ｙ３ａと直交するように接続されたＩＴＯ等の透明導電膜からなる透明電極Ｙ３ｂとを備えている。
【０１０９】
各透明電極Ｙ３ｂは、透明電極Ｘ３ｂと同様に、バス電極Ｙ３ａから図１２において上方向に延びるＴ字形状の第１透明電極部Ｙ３ｂ１と、下方向に延びるＴ字形状の第２透明電極部Ｙ３ｂ２とによって構成されている。
【０１１０】
そして、この透明電極Ｙ３ｂは、第１透明電極部Ｙ３ｂ１の幅狭の脚部の長さが、第２透明電極部Ｙ３ｂ２の幅狭の脚部の長さよりも長くなるように形成されている。
【０１１１】
この行電極Ｘ３と行電極Ｙ３は、第２透明電極部Ｘ３ｂ２の幅広の頂部と第１透明電極部Ｙ３ｂ１の幅広の頂部、および、第１透明電極部Ｘ３ｂ１の幅広の頂部と第２透明電極部Ｙ３ｂ２の幅広の頂部が、それぞれ、放電ギャップｇ１を介して対向されて互いに対になっている。
【０１１２】
そして、この互いに対向して対になった第２透明電極部Ｘ３ｂ２と第１透明電極部Ｙ３ｂ１、および、第１透明電極部Ｘ３ｂ１と第２透明電極部Ｙ３ｂ２のそれぞれの行方向に沿った配列が、それぞれ、一表示ラインＬ２を構成している。
【０１１３】
そして、この前面ガラス基板１の背面に第１誘電体層２２が形成されて、行電極Ｘ３とＹ３が被覆されている。
【０１１４】
この第１誘電体層２２の背面側には、列電極Ｄ３を構成する帯状の列電極本体部Ｄ３ａが、行電極Ｘ３，Ｙ３のバス電極Ｘ３ａ，Ｙ３ａに沿って行方向に等間隔に並ぶ透明電極Ｘ３ｂ，Ｙ３ｂのそれぞれの中間位置に対向する位置においてバス電極Ｘ３ａ，Ｙ３ａと直交する方向（列方向）に延びるように、互いに所定の間隔を開けて平行に並設されている。
【０１１５】
この列電極Ｄ３には、前面ガラス基板１側から見て、各列電極本体部Ｄ３ａの側部から、バス電極Ｘ３ａとバス電極Ｙ３ａの図１２においてそれぞれ上側の側部に沿ってその近傍を行方向に延びる帯状の列電極突出部Ｄ３ｂが、列電極本体部Ｄ３ａと一体的に形成されている。
【０１１６】
そして、各列電極突出部Ｄ３ｂの先端部が、透明電極Ｘ３ｂの第１透明電極部Ｘ３ｂ１の脚部のバス電極Ｘ３ａとの接続部に近接する位置、または、透明電極Ｙ３ｂの第１透明電極部Ｙ３ｂ１のバス電極Ｙ３ａとの接続部に近接する位置において、それぞれ第１透明電極部Ｘ３ｂ１または第１透明電極部Ｙ３ｂ１と交差するように位置されている。
【０１１７】
第１誘電体層２２の背面に第２誘電体層２３が形成されて、列電極Ｄ３の列電極本体部Ｄ３ａと列電極突出部Ｄ３ｂが被覆されている。
【０１１８】
この第２誘電体層２３の背面側には、透明電極Ｘ３ｂの第１透明電極部Ｘ３ｂ１の列電極突出部Ｄ３ｂと交差する位置よりも所要の幅だけ頂部側に寄った位置から、第２透明電極部Ｘ３ｂ２のバス電極Ｘ３ａとの接続部分よりも所要の幅だけ頂部側に寄った位置までの間の部分、および、透明電極Ｙ３ｂの第１透明電極部Ｙ３ｂ１の列電極突出部Ｄ３ｂと交差する位置よりも所要の幅だけ頂部側に寄った位置から、第２透明電極部Ｙ３ｂ２のバス電極Ｙ３ａとの接続部分よりも所要の幅だけ頂部側に寄った位置までの間の部分に対向して、それぞれバス電極３ａ，Ｙ３ａに沿って行方向に延びる帯状の第１嵩上げ誘電体層２４が、第２誘電体層２３の背面から突出するように形成されている。
【０１１９】
この第１嵩上げ誘電体層２４は、黒色または暗色の顔料を含んだ光吸収層になっている。
【０１２０】
さらに、この第１嵩上げ誘電体層２４の背面側には、透明電極Ｘ３ｂの第１透明電極部Ｘ３ｂ１の列電極突出部Ｄ３ｂと交差している位置よりも頂部側に位置する所要の幅部分に対向して行方向に延びる帯状部分と、この帯状部分から第２透明電極部Ｘ３ｂ２のバス電極Ｘ３ａとの接続部分よりも所要の幅だけ頂部側に寄った位置までの間の列電極本体部Ｄ３ａに対向して列方向に延びる帯状の部分、および、透明電極Ｙ３ｂの第１透明電極部Ｙ３ｂ１の列電極突出部Ｄ３ｂと交差している位置よりも頂部側に位置する所要の幅部分に対向して行方向に延びる帯状部分と、この帯状部分から第２透明電極部Ｙ３ｂ２のバス電極Ｙ３ａとの接続部分よりも所要の幅だけ頂部側に寄った位置までの間の列電極本体部Ｄ３に対向して列方向に延びる帯状の部分に、それぞれ、第１嵩上げ誘電体層２４の背面から突出する第２嵩上げ誘電体層２５がそれぞれ形成されている。
【０１２１】
そして、この第２誘電体層２３と第１嵩上げ誘電体層２４，第２嵩上げ誘電体層２５の背面側には、ＭｇＯからなる図示しない保護層が形成されている。
【０１２２】
一方、前面ガラス基板１と放電空間を介して対向する背面ガラス基板６の表示側の面上には、保護層（誘電体層）７が形成され、この保護層７上に、下記に詳述するような形状の隔壁８が形成されている。
【０１２３】
すなわち、この隔壁８は、第２嵩上げ誘電体層２５の行方向に延びる帯状の部分に対向する位置においてそれぞれ行方向に延びる第１横壁８Ａと、透明電極Ｘ３の第２透明電極部Ｘ３ｂ２ｂのバス電極Ｘ３ａとの接続部近傍の所要の幅部分に対向する位置、および、透明電極Ｙ３の第２透明電極部Ｙ３ｂ２ｂのバス電極Ｙ３ａとの接続部近傍の所要の幅部分に対向する位置においてそれぞれ行方向に延びる第２横壁８Ｂと、列電極Ｄ３の列電極本体部Ｄ３ａと対向する位置においてこの列電極本体部Ｄ３ａと平行に列方向に延びる縦壁８Ｃとを備えている。
【０１２４】
この隔壁８の第１横壁８Ａと第２横壁８Ｂ，縦壁８Ｃによって、前面ガラス基板１と背面ガラス基板６の間の放電空間が、それぞれ互いに対向されて対になっている第２透明電極部Ｘ３ｂ２と第１透明電極部Ｙ３ｂ１に対向する表示放電セルＣ１と、行電極Ｘ３のバス電極Ｘ３ａと列電極Ｄ３の列電極突出部Ｄ３ｂ、または、行電極Ｙ３のバス電極Ｙ３ａと列電極Ｄ３の列電極突出部Ｄ３ｂに対向するアドレス放電セルＣ２が形成されて、この表示放電セルＣ１とアドレス放電セルＣ２が、第１横壁８Ａまたは第２横壁８Ｂを挟んで、列方向において互い違いに配置されている。
【０１２５】
そして、第１横壁８Ａおよび第２横壁８Ｂ，縦壁８Ｃの高さが、第２嵩上げ誘電体層２５の背面側を被覆している保護層と背面ガラス基板６上に形成された保護層７との間の間隔と等しくなるように設定されている。
【０１２６】
これによって、第１横壁８Ａの表示側の面（図１３において上側の面）と、この第１横壁８Ａからバス電極Ｘ３ａまたはバス電極Ｙ３ａを挟んだ位置に位置されている第２横壁８Ｂまでの間の部分の縦壁８Ｃの表示側の面が、それぞれ第２嵩上げ誘電体層２５を被覆している保護層の背面側に当接されている（図１３および１４参照）が、第２横壁８Ｂと第１嵩上げ誘電体層２４との間には第２嵩上げ誘電体層２５が形成されていないために、この第２横壁８Ｂの表示側の面と第１嵩上げ誘電体層２４を被覆している保護層との間に、隙間ｒ１がそれぞれ形成されている（図１３参照）。
【０１２７】
さらに、第２横壁８Ｂとこの第２横壁８Ｂから表示放電セルＣ１を挟んで位置する第１横壁８Ａとの間の部分の縦壁８Ｃと第１嵩上げ誘電体層２４との間には、第２嵩上げ誘電体層２５が形成されていないために、この部分の縦壁８Ｃの表示側の面と第１嵩上げ誘電体層２４を被覆している保護層との間に、隙間ｒ２がそれぞれ形成されている（図１４ないし１６参照）。
【０１２８】
そして、列方向において第２横壁８Ｂを挟んで隣接するそれぞれの表示放電セルＣ１とアドレス放電セルＣ２とは、隙間ｒ１を介して互いに連通されている。
【０１２９】
各表示放電セルＣ１内の放電空間に面する隔壁８の第１横壁８Ａおよび第２横壁８Ｂ，縦壁８Ｃの各側面と保護層７の表面には、これらの五つの面を全て覆うように蛍光体層９が形成されており、この蛍光体層９の色は、各表示放電セルＣ１毎に赤（Ｒ），緑（Ｇ），青（Ｂ）の色が行方向に順に並ぶように配置されている。
【０１３０】
各アドレス放電セルＣ２内の放電空間に面する隔壁８の第１横壁８Ａおよび第２横壁８Ｂ，縦壁８Ｃの各側面と保護層７の表面には、これらの五つの面を全て覆うように比誘電率εが５０以上（５０〜２５０）の高γ材料によって形成された高γ材料層１０が形成されている。
【０１３１】
この高γ材料層１０を形成する高ε材料としては、例えば、ＳｒＴｉＯ３などがある。
【０１３２】
放電空間の各表示放電セルＣ１およびアドレス放電セルＣ２内には、Ｘｅガスを含む放電ガスが封入されている。
【０１３３】
このＰＤＰにおける画像の形成は、以下のようにして行われる。
【０１３４】
先ず、リセット期間において、全アドレス放電セルＣ２内で、行電極Ｘ３，Ｙ３と列電極Ｄ３にリセットパルスが印加されて、バス電極Ｘ３ａおよび第１透明電極部Ｘ３ｂ１と列電極Ｄ３の列電極本体部Ｄ３ａとの間、ならびに、バス電極Ｙ３ａおよび第１透明電極部Ｙ３ｂ１と列電極Ｄ３の列電極本体部Ｄ３ａとの間に、それぞれリセット放電が発生されて、隙間ｒ１を介して表示放電セルＣ１に面している部分の第１誘電体層２２および第２誘電体層２３に、壁電荷が形成（または、壁電荷が消去）される。
【０１３５】
次のアドレス期間において、行電極Ｘ３とＹ３に走査パルスが順次印加され、列電極Ｄ３に映像信号に対応して選択的にデータパルスが印加される。
【０１３６】
これによって、アドレス放電セルＣ２内において、走査パルスが印加された行電極Ｘ３のバス電極Ｘ３ａおよび第１透明電極部Ｘ３ｂ１、または、行電極Ｙ３のバス電極Ｙ３ａと第１透明電極部Ｙ３ｂ１と、データパルスが印加された列電極Ｄ３の列電極突出部Ｄ３ｂとの間でアドレス放電が発生する。
【０１３７】
このとき、アドレス放電セルＣ２内に高γ材料層１０が形成されていることによって、高γ材料層１０が形成されていない場合と比べて、小さい電圧でアドレス放電が開始される。
【０１３８】
そして、このアドレス放電セルＣ２内におけるアドレス放電によって発生した荷電粒子が、第２横壁８Ｂと第１嵩上げ誘電体層２４との間の隙間ｒ１を通って、この第２横壁８Ｂを挟んで隣接している対になった表示放電セルＣ１内に導入されて、この表示放電セルＣ１に対向している部分の第１誘電体層２２および第２誘電体層２３に形成されている壁電荷が選択的に消去（または、第１誘電体層２２および第２誘電体層２３に壁電荷が選択的に形成）されてゆくことにより、全表示ラインＬ２に発光セル（第１誘電体層２２および第２誘電体層２３に壁電荷が形成されている表示放電セルＣ１）と非発光セル（第１誘電体層２２および第２誘電体層２３に壁電荷が形成されていない表示放電セルＣ１）とが、表示する画像に対応してパネル面に分布される。
【０１３９】
このアドレス期間の後、維持発光期間において、全表示ラインＬ２において一斉に、行電極Ｘ３とＹ３に対して交互に放電維持パルスが印加されて、この放電維持パルスが印加される毎に各発光セル内において、互いに対向して対になっている第１透明電極部Ｘ３ｂ１と第２透明電極部Ｙ３ｂ２、または、第２透明電極部Ｘ３ｂ２と第１透明電極部Ｙ３ｂ１との間で維持放電が発生される。
【０１４０】
そして、この維持放電によって放電ガス中のＸｅガスから発生する紫外線により、表示放電セルＣ１に面している赤（Ｒ），緑（Ｇ），青（Ｂ）の各蛍光体層９がそれぞれ励起されて発光することにより、表示する画像が形成される。
【０１４１】
上記例のＰＤＰは、第１の例の場合と同様に、前面ガラス基板１側に行電極Ｘ３，Ｙ３と列電極Ｄ３がともに形成されているために、行電極Ｘ３およびＹ３のそれぞれのアドレス放電を発生させる部分と列電極Ｄとの間の間隔が短縮されて、これにより、低い放電開始電圧でアドレス放電が発生されるようになる。
【０１４２】
そして、この例のＰＤＰは、第１の例と比べて、列電極突出部Ｄ２ｂが行電極Ｘ３の透明電極Ｘ３ｂおよび行電極Ｙ３の透明電極Ｙ３ｂと交差する位置に形成されているために、さらに低い放電開始電圧でアドレス放電が発生される。
【０１４３】
さらに、上記ＰＤＰの製造工程において、前面ガラス基板１と背面ガラス基板６の位置合わせや隔壁の高さなどに高い精度が要求されなくなるので、その製造プロセスが簡略化される。
【０１４４】
さらに、上記ＰＤＰは、リセット放電およびアドレス放電が発生されるアドレス放電セルＣ２と維持放電が発生される表示放電セルＣ１とが、互いに分離されており、アドレス放電セルＣ２の表示側の面には、このアドレス放電セルＣ２を覆うように黒色または暗色の第１嵩上げ誘電体層２４が形成されていることによって、このアドレス放電セルＣ２内におけるリセット放電およびアドレス放電による光が、第１嵩上げ誘電体層２４によって遮られて、前面ガラス基板１側に漏れるのが防止される。
【０１４５】
したがって、画像形成のための発光を行う放電ではないリセット放電およびアドレス放電が行われる都度にパネル表示面が光るのを防止することができ、これによって、リセット放電およびアドレス放電によって画像の暗コントラストが低下するのを防止することが出来る。
【０１４６】
さらに、アドレス放電が発生されるアドレス放電セルＣ２に蛍光体層が形成されておらず、蛍光体層を形成する蛍光材料の色ごとに異なる放電特性や製造工程において蛍光体層を形成する際に生じる層の厚さのばらつきといった蛍光体層に起因する放電電圧変化などの影響を受けることがないので、各アドレス放電セルＣ２において等しいアドレス放電特性を得ることが出来るようになり、アドレス放電のマージンが向上する。
【０１４７】
さらにまた、表示放電セルＣ１内では維持放電のみが行われるので、そのセル構造の構成に対する規制が少なくなり、これによって、表示放電セルＣ１を維持放電に最適な構造に構成することが出来るようになる。
【０１４８】
以上の各例においては、アドレス放電セルＣ２内に高γ材料層が形成されているが、この高γ材料層の代わりに、二次電子放出層（ＭｇＯ層）を形成するようにしても良い。
【０１４９】
この二次電子放出層（ＭｇＯ層）の形成によって、アドレス放電セルＣ２から表示放電セルＣ１に供給するための荷電粒子が十分に確保されるようになる。
【０１５０】
上記実施形態の各例におけるＰＤＰは、放電空間を介して互いに対向された一対の基板と、この一対の基板の一方の基板の背面側に行方向に延び列方向に並設されてそれぞれ表示ラインを構成する複数の行電極対と、この行電極対を被覆する誘電体層と、この誘電体層内に列方向に延び行方向に並設された複数の列電極が設けられて、行電極対と列電極の交差部分の近傍の放電空間にそれぞれ単位発光領域が構成されるプラズマディスプレイパネルにおいて、前記列電極が、誘電体層内の行電極対が形成されている平面と異なる平面内に形成され、前記各単位発光領域の周囲が隔壁によって仕切られることによりそれぞれ区画され、この隔壁によって区画された各単位発光領域内が、さらに、仕切り壁によって、行電極対を構成する行電極の互いに対向する部分に対向してこの行電極間での放電が行われる第１放電領域と、一方の行電極の一部と対向する列電極の一部に対向してこの列電極の一部と行電極の一部との間での放電が行われる第２放電領域とに区画され、この第１放電領域と第２放電領域との間に第２放電領域を第１放電領域に連通させる連通部が設けられている実施形態のＰＤＰを、その上位概念の実施形態としているものである。
【０１５１】
この上位概念を構成する実施形態のＰＤＰは、画像形成の際に、共に一方の基板側に形成されている行電極対の一方の行電極の一部と列電極の一部との間で行われるリセット放電が、列電極の一部が対向する第２放電領域内において発生され、このリセット放電によって、第２放電領域と第１放電領域との間に形成された連通部を介して、第１放電領域に面する誘電体層への壁電荷の形成または消去が行われる。
【０１５２】
次いで、一方の行電極の一部と列電極の一部との間で選択的に行われるアドレス放電が、この列電極の一部が対向する第２放電領域内において発生されて、このアドレス放電によって第２放電領域内に生成される荷電粒子が、連通部から第１放電領域内に導入されることにより、壁電荷が形成されている第１放電領域（発光セル）と壁電荷が形成されていない第１放電領域（非発光セル）とが、形成する画像に対応してパネル面に分布される。
【０１５３】
そして、この後、壁電荷が形成されている第１放電領域（発光セル）内において、行電極対を構成する行電極の互いに対向する部分の間で、画像形成のための発光を行う維持放電が発生される。
【０１５４】
この実施形態のＰＤＰは、行電極対と列電極とが、放電空間を介して互いに対向される一対の基板の一方の基板側に形成されていることによって、製造プロセスを簡略化してその製造コストを大幅に低減することが出来る。
【０１５５】
そして、リセット放電およびアドレス放電が、画像形成のための発光を行う維持放電が行われる第１放電領域とは別個に形成された第２放電領域内において行われるようになっているので、リセット放電とアドレス放電による発光がパネルの表示面側に漏れるのを防止して、画像の暗コントラストが低下するのを防止することが出来る構成の採用が可能になる。
【０１５６】
さらに、アドレス放電が発生される第２放電領域内に蛍光体層を形成する必要が無いので、蛍光体層を形成する蛍光材料の色ごとに異なる放電特性や製造工程において蛍光体層を形成する際に生じる層の厚さのばらつきといった蛍光体層に起因する放電電圧変化などの影響の排除が可能になり、各第２放電領域におけるアドレス放電特性を均一にすることによって、アドレス放電のマージンの向上を図ることが出来るようになる。
【０１５７】
さらにまた、第１放電領域内では維持放電のみが行われるので、この第１放電領域の構成に対する規制が少なくなり、これによって、第１放電領域を維持放電に最適な構造に構成することが可能になる。
【図面の簡単な説明】
【図１】従来のＰＤＰの構成を示す正面図である。
【図２】この発明の実施形態における第１の例を模式的に示す正面図である。
【図３】図２のＶ１−Ｖ１線における断面図である。
【図４】図２のＶ２−Ｖ２線における断面図である。
【図５】図２のＷ１−Ｗ１線における断面図である。
【図６】図２のＷ２−Ｗ２線における断面図である。
【図７】この発明の実施形態における第２の例を模式的に示す正面図である。
【図８】図７のＶ３−Ｖ３線における断面図である。
【図９】図７のＶ４−Ｖ４線における断面図である。
【図１０】図７のＷ３−Ｗ３線における断面図である。
【図１１】図７のＷ４−Ｗ４線における断面図である。
【図１２】この発明の実施形態における第３の例を模式的に示す正面図である。
【図１３】図１２のＶ５−Ｖ５線における断面図である。
【図１４】図１２のＶ６−Ｖ６線における断面図である。
【図１５】図１２のＷ５−Ｗ５線における断面図である。
【図１６】図１２のＷ６−Ｗ６線における断面図である。
【符号の説明】
１                              …前面ガラス基板（一方の基板）
２，１２，２２            …第１誘電体層（誘電体層）
３，１３，２３            …第２誘電体層（誘電体層）
４，１４                  …第１嵩上げ誘電体層（光吸収層，嵩上げ部）
５，１５                      …第２嵩上げ誘電体層（嵩上げ部）
６                        …背面ガラス基板（他方の基板）
７                        …保護層
８                        …隔壁
８Ａ                      …第１横壁（横壁）
８Ｂ                      …第２横壁（仕切り壁）
８Ｃ                      …縦壁
９                        …蛍光体層
１０                      …高γ材料層
Ｘ１，Ｘ２，Ｘ３，Ｙ１，Ｙ２，Ｙ３…行電極
Ｘ１ａ，Ｘ２ａ，Ｘ３ａ，Ｙ１ａ，Ｙ２ａ，Ｙ３ａ…バス電極（行電極本体部，行電極の一部）
Ｘ１ｂ，Ｘ２ｂ，Ｘ３ｂ，Ｙ１ｂ，Ｙ２ｂ，Ｙ３ｂ…透明電極（行電極突出部）
Ｘ３ｂ１，Ｙ３ｂ１        …第１透明電極部
Ｘ３ｂ２，Ｙ３ｂ２        …第２透明電極部
Ｄ１，Ｄ２，Ｄ３            …列電極
Ｄ１ａ，Ｄ２ａ，Ｄ３ａ      …列電極本体部
Ｄ１ｂ，Ｄ２ｂ，Ｄ３ｂ      …列電極突出部（列電極の一部）
Ｃ１                                …表示放電セル（第１放電領域）
Ｃ２                        …アドレス放電セル（第２放電領域）
Ｌ１，Ｌ２                …表示ライン
ｒ１                      …隙間（連通部）
ｇ，ｇ１                  …放電ギャップ
【図１】
2004342447.tif 000003
【図２】
2004342447.tif 000004
【図３】
2004342447.tif 000005
【図４】
2004342447.tif 000006
【図５】
2004342447.tif 000007
【図６】
2004342447.tif 000008
【図７】
2004342447.tif 000009
【図８】
2004342447.tif 000010
【図９】
2004342447.tif 000011
【図１０】
2004342447.tif 000012
【図１１】
2004342447.tif 000013
【図１２】
2004342447.tif 000014
【図１３】
2004342447.tif 000015
【図１４】
2004342447.tif 000016
【図１５】
2004342447.tif 000017
【図１６】
2004342447.tif 000018